(57)【要約】      （修正有）【課題】係合爪を発音位置及び解除位置に確実に保持することができる発音機構を提供する。【解決手段】両軸受型リールは、リール本体と、スプールと、前記スプールと連動して回転するように構成された歯車と、前記リール本体に装着され、円形の第１の孔部８１ａ及び円形の第２の孔部８１ｂを有する弾性部材製のカラーと、前記カラーに装着され、前記第１の孔部８１ａ又は前記第２の孔部８１ｂに選択的に保持される操作部材と、前記操作部材に設けられ、前記操作部材が前記第１の孔部８１ａに保持されているときに前記歯車と係合する一方、前記操作部材が前記第２の孔部８１ｂに保持されているときに前記歯車と係合しないように構成された係合爪と、を備える。前記カラーは、前記第１の孔部８１ａの中心と前記第２の孔部８１ｂの中心との距離が前記第１の孔部８１ａの半径と前記第２の孔部８１ｂの半径との和よりも大きくなるように構成される。【選択図】図５
2018174768.tif 000002
【特許請求の範囲】
【請求項１】
リール本体と、
当該リール本体にスプール軸の周りを回転自在に支持されたスプールと、
前記スプールと連動して回転するように構成された歯車と、
前記リール本体に装着され、円形の第１の孔部及び円形の第２の孔部を有する弾性部材
製のカラーと、
前記カラーに装着され、前記第１の孔部又は前記第２の孔部に選択的に保持される操作
部材と、
前記操作部材に設けられ、前記操作部材が前記第１の孔部に保持されているときに前記
歯車と係合する一方前記操作部材が前記第２の孔部に保持されているときに前記歯車と係
合しないように構成された係合爪と、
を備え、
前記カラーは、前記第１の孔部の中心と前記第２の孔部の中心との距離が前記第１の孔
部の半径と前記第２の孔部の半径との和よりも大きくなるように構成された、両軸受型リ
ール。
【請求項２】
前記操作部材は、円柱形状の軸部を有しており、当該軸部を介して前記カラーに装着さ
れる、請求項１に記載の両軸受型リール。
【請求項３】
前記リール本体には、前記スプールのスプール軸と接離する方向に延伸する長穴が形成
され、
前記カラーは、前記長穴に装着される、
請求項１又は請求項２に記載の両軸受型リール。
【請求項４】
前記操作部材は、円柱形状の軸部を有し、当該軸部を介して前記カラーに装着されてお
り、
前記軸部は金属製であり、前記カラーは合成樹脂製である、請求項１から請求項３のい
ずれか１項に記載の両軸受型リール。
【請求項５】
前記カラーは、前記第１の孔部と前記第２の孔部とを接続するチャネルを有する、請求
項１から請求項４のいずれか１項に記載の両軸受型リール。
【請求項６】
前記操作部材は、円柱形状の軸部を有し、当該軸部を介して前記カラーに装着されてお
り、
前記カラーは、前記第１の孔部の中心と前記第２の孔部の中心とを結ぶ仮想線に直交す
る方向における前記チャネルの幅が前記軸部の直径の１／２よりも狭くなるように構成さ
れている、
請求項５に記載の両軸受型リール。
【発明の詳細な説明】
【技術分野】
【０００１】
本発明は、発音機構を備えた両軸受型リールに関する。
【背景技術】
【０００２】
従来から、発音機構を備えた両軸受型リールが知られている。一般に、両軸受型リール
用の発音機構は、スプールの回転に応じて発音するように構成される。
【０００３】
発音機構を備えた従来の両軸受型リールが、実開平４−４１２６８号公報（特許文献１
）に開示されている。当該特許文献１に開示されているように、従来の発音機構は、スプ
ールに回り止め固定された歯車と、リール本体に当該歯車の歯に係合可能に設けられた係
合爪とを備えている。当該係合爪は、当該歯車の歯と係合する係合位置又は当該歯車の歯
から離反した解除位置に選択的に保持される。
【０００４】
この種の発音機構においては、係合爪が係合位置にあるときにスプールが回転すると、
当該スプールとともに回転する歯車の歯が係合爪と衝突することによりクリック音が発生
する。他方、係合爪が解放位置にあるときには、スプールが回転しても係合爪が歯車の歯
と衝突しないためクリック音は発生しない。
【０００５】
改善された発音機構が特開２０１１−０１９４２７号公報（特許文献２）に開示されて
いる。特許文献２の発音機構は、側板のカバー部材に長孔を形成し、この長孔に弾性材料
製のカラーを装着することにより、当該カラーによって係合爪を係合位置と解除位置とに
振り分け保持できる。釣り人は、係合爪に取り付けられた操作部材を操作することにより
、係合爪を係合位置又は解除位置に移動させることができる。
【０００６】
このカラーは、その両端に互いに連結された円形状の２つの孔部を有している。この２
つの孔部はいずれも、上記操作部材の軸部を受け入れるように構成されている。この２つ
の孔部は、係合位置及び解除位置に対応する位置に配されている。すなわち、上記操作部
材の軸部が一方の孔部に受け入れられているときに上記係合爪は係合位置にあって歯車の
歯と係合することができ、他方において上記操作部材の軸部が他方の孔部に受け入れられ
ているときには上記係合爪は解除位置にあって歯車の歯とは係合しない。このように操作
部材が２つの孔部に対応する位置のいずれかに位置決めされるため、釣り人は、操作部材
を一方の孔部から他方の孔部に移動させたときに適度なクリック感を得ることができる。
【先行技術文献】
【特許文献】
【０００７】
【特許文献１】実開平４−４１２６８号公報
【特許文献２】特開２０１１−０１９４２７号公報
【発明の概要】
【発明が解決しようとする課題】
【０００８】
上記特許文献２の発音機構のカラーは、その２つの孔部の各々を画定する円周同士が重
複するように構成されている。したがって、一方の孔部に収容されている操作部材の軸部
が当該孔部から離脱しやすいという問題がある。特に、特許文献２の発音機構においては
、係合爪がスプールの中心軸方向に常時付勢されているため、操作部材が解除位置から不
意に離脱しやすいという問題がある。
【０００９】
本発明の目的は、係合爪を発音位置及び解除位置に確実に保持することができる発音機
構を提供することである。
【課題を解決するための手段】
【００１０】
本発明の一実施形態に係る両軸受型リールは、リール本体と、当該リール本体にスプー
ル軸の周りを回転自在に支持されたスプールと、前記スプールと連動して回転するように
構成された歯車と、前記リール本体に装着され、円形の第１の孔部及び円形の第２の孔部
を有する弾性部材製のカラーと、前記カラーに装着され、前記第１の孔部又は前記第２の
孔部に選択的に保持される操作部材と、前記操作部材に設けられ、前記操作部材が前記第
１の孔部に保持されているときに前記歯車と係合する一方前記操作部材が前記第２の孔部
に保持されているときに前記歯車と係合しないように構成された係合爪と、を備える。前
記カラーは、前記第１の孔部の中心と前記第２の孔部の中心との距離が前記第１の孔部の
半径と前記第２の孔部の半径との和よりも大きくなるように構成される。前記操作部材は
、円柱形状の軸部を有し、当該軸部を介して前記カラーに装着されてもよい。一実施形態
において、前記リール本体には、前記スプールのスプール軸と接離する方向に延伸する長
穴が形成されてもよい。一実施形態において、前記カラーは、前記長穴に装着されてもよ
い。
【００１１】
これらの実施形態によれば、第１の孔部及び第２の孔部が互いと重複しないように配さ
れている。これにより、第１の孔部及び第２の孔部が互いと重複するように配されている
場合と比べて、操作部材のストロークを長くすることができる。これにより、第１の孔部
に位置決めされている操作部材が誤って第２の孔部に移動することを防止できる。また、
第２の孔部に位置決めされている操作部材が誤って第１の孔部に移動することを防止でき
る。したがって、この操作部材に設けられた係合爪を発音位置及び解除位置に確実に保持
することができる。
【００１２】
本発明の一実施形態に係る両軸受型リールにおいて、前記軸部は金属製であり、前記カ
ラーは合成樹脂製である。
【００１３】
当該実施形態によれば、金属製の操作部材の軸部がリール本体と直接接触することを防
止できる。これにより、リール本体が金属製であっても電食の発生を防止することができ
る。
【００１４】
本発明の一実施形態に係る両軸受型リールにおいて、前記カラーは、前記第１の孔部と
前記第２の孔部とを接続するチャネルを有する。一実施形態において、前記カラーは、前
記第１の孔部の中心と前記第２の孔部の中心とを結ぶ仮想線に直交する方向における前記
チャネルの幅が前記軸部の直径の１／２よりも狭くなるように構成される。
【００１５】
当該実施形態によれば、操作部材が第１の孔部と第２の孔部との間で移動するときに通
過するチャネルの幅が、当該操作部材の軸部の直径よりも大幅に狭くなっている。したが
って、操作部材を第１の孔部又は第２の孔部により確実に保持することができる。
【発明の効果】
【００１６】
本発明の実施形態によって、発音機構の係合爪を発音位置及び解除位置に確実に保持す
ることができる。
【図面の簡単な説明】
【００１７】
【図１】本発明の一実施形態による両軸受型リールを示す平面図である。
【図２】図１に示す両軸受型リールの左側面図である。
【図３】図１に示す両軸受型リールの断面図である。図３においては、係合爪が係合位置にある。
【図４】図１に示す両軸受型リールの断面図である。図４においては、係合爪が解放位置にある。
【図５】操作部材及びカラーを示す断面図である。
【図６】操作部材及び係合爪を示す平面図である。
【図７】本発明の一実施形態による両軸受型リールの左側板の内側面を示す図である。図７においては、係合爪が係合位置にある。
【図８】本発明の一実施形態による両軸受型リールの左側板の内側面を示す図である。図８においては、係合爪が解放位置にある。
【図９】本発明の一実施形態による両軸受型リールの左側板の外側面を示す図である。図９においては、係合爪が係合位置にある。
【図１０】本発明の一実施形態による両軸受型リールの左側板の外側面を示す図である。図１０においては、係合爪が解放位置にある。
【００１８】
以下、適宜図面を参照し、本発明の様々な実施形態を説明する。なお、各図面において
共通する構成要素に対しては同一の参照符号が付されている。各図面は、説明の便宜上、
必ずしも正確な縮尺で記載されているとは限らない点に留意されたい。
【００１９】
図１から図４を参照して、本発明の一実施形態による両軸受型リールについて説明する
。図１は、本発明の一実施形態による両軸受型リールを示す平面図、図２は、図１の両軸
受型リールの左側面図、図３及び図４は、図１に示す両軸受型リールの断面図である。
【００２０】
図１に示すように、本発明の一実施形態による両軸受型リールは、筒状のリール本体１
と、当該リール本体１に回転自在に装着されたスプール３と、当該リール本体１の右側面
に取りつけられたハンドル５と、を備える。スプール３は、このハンドル５の巻き取り操
作に連動してその回転軸周りで回転することができる。
【００２１】
リール本体１は、フレーム７を備えている。フレーム７は、左側板７Ａと右枠体７Ｂと
を備える。このフレーム７は、例えば、アルミニウム合金の金属材料によって一体形成さ
れる。右枠体７Ｂには、カバー体１５が着脱可能に設けられる。カバー体１５の内面には
、支持部材１６が設けられる。右枠体７Ｂとカバー体１５とを併せて右側板と呼ぶことも
ある。カバー体１５及び支持部材１６もリール本体１の構成要素とすることができる。
【００２２】
スプール３は、この左側板７Ａと右側板との間に支持される。図示の実施形態では、ハ
ンドル５は、右側板側に設けられる。ハンドル５は、左側板７Ａに設けられてもよい。
【００２３】
スプール３は、釣糸が巻回される胴部３ｂと、その両側に形成されたフランジ３ａとを
備える。胴部３ｂに巻回される釣糸の量は、フランジ３ａの外径によって規定される。
【００２４】
フレーム７は、左側板７Ａと右枠体７Ｂとを連結する連結部を備えている。図示の実施
形態では、当該連結部は、スプール３の前方に配された前連結部７Ｃ、スプール３の後方
に配された後連結部７Ｄ、及びスプールの下方に配された２つの下連結部７Ｅを有する。
一実施形態において、これらの連結部は、前記左側板７Ａ及び右枠体７Ｂと共に一体形成
されてもよい。下連結部７Ｅには、リール脚８が一体的に装着されている。リール脚８は
、フレーム７と一体形成されてもよい。リール脚８は、不図示の釣竿のリールシートに装
着される。
【００２５】
図２に示すように、一実施形態における左側板７Ａは、側面視したときの外周形状が円
形となるように構成されている。左側板７Ａは、図２に例示されているように、略円柱形
状に構成されてもよい。左側板７Ａは、外側面７ａと、外周面（円周面）７ｂと、この外
側面７ａと外周面７ａとの間に配されたテーパ面７ｃと、外周面７ｂの内側に配されたテ
ーパ面７ｄと、を有する。図示の両軸受型リールは、使用時には、釣り人の掌が外側面７
ａに当接するとともにその親指が外周面７ｂに載置されるように握り込まれる。
【００２６】
図３に示すように、左側板７Ａの内側には、凹所７ｅが形成されている。このスプール
３のフランジ３ａが収容される環状の凹所７ｅが形成されている。凹所７ｅは、その内径
が、スプール３のフランジ３ａの外径よりも僅かに大きくなるように形成される。
【００２７】
左側板７Ａの内側の略中心には、軸受１０が設けられる。軸受１０は、スプール３のス
プール軸３Ａの左端を回転自在に支持している。
【００２８】
右枠体７Ｂは、左側板７Ａと同様に、側面視で円形状に構成される。右枠体７Ｂは、円
形の開口７ｇを有するリング状に形成されている。開口７ｇは、その内径がスプール３の
フランジ３ａの外径よりも僅かに大きくなるように形成される。スプール３は、開口部７
ｇを介して右枠体７Ｂに挿脱可能に取りつけられる。
【００２９】
右枠体７Ｂには、カバー体１５が着脱可能に設けられる。カバー体１５は、側面視で略
円形を有するように形成される。カバー体１５には、膨出部１５Ａが形成されている。こ
のカバー体１５を右枠体７Ｂに取りつけることにより、当該カバー体１５と右枠体７Ｂと
により収容スペースＳが画定される。カバー体１５には、支持部材１６が装着される。支
持部材１６をカバー体１５に装着することにより、支持部材１６とカバー体１５との間に
収容スペースＳが画定される。
【００３０】
収容スペースＳ内には、各種の機能部品が設けられる。収容スペースＳ内に設けられる
機能部品には、ハンドル５の回転駆動力をスプール３に伝達する巻き取り駆動機構２０、
スプール３から繰り出される釣糸に対して所望の制動力を付与するドラグ機構５０、及び
スプールを巻き取り状態／フリー回転状態に切り換えるクラッチ機構７０が含まれる。
【００３１】
支持部材１６は、略円筒形状に形成されている。一実施形態において、支持部材１６は
、円形で板状の板状支持部１６ａと、この支持部１６ａの外周端に形成されスプール側に
突出した環状支持部１６ｂと、支持部１６ａの中心にスプール３側に向けて突出するよう
に形成されたボス１６ｃと、支持部１６ａの外周側にカバー体１５側に開口するように形
成された凹所１６ｄと、を有する。当該ボス１６ｃの内部には、後述する軸受３Ｃ及び後
述するピニオンギア２３が設けられる。凹所１６ｇには、ハンドル軸５Ａの基端が設けら
れる。支持部材１６はカバー体１５の内面側にネジ止め固定されてもよい。環状支持部１
６ｂは、右枠体７Ｂに形成された開口７ｇの内面に嵌合されてもよい。
【００３２】
スプール３には、スプール軸３Ａが挿通されている。スプール３は、スプール軸３Ａに
対して回転不能に固定されている。したがって、スプール３は、スプール軸３Ａと一体に
回転する。
【００３３】
スプール軸３Ａの左端付近には、歯車３Ｂが回り止め固定されている。他方、スプール
軸３Ａの右端付近には、軸受３Ｃが設けられている。また、スプール軸３Ａの軸受３Ｃの
右側にはピン３Ｄが設けられている。ピン３Ｄは、後述するピニオンギア２３と係脱する
ように構成される。スプール軸３Ａの右端からは、当該スプール軸３Ａよりも小径の小径
軸３Ｅが当該スプール軸３Ａと同軸に延伸している。この小径軸３Ｅは、ピニオンギア２
３に挿通される。
【００３４】
リール本体１は、軸受１０及び軸受３Ｃによりスプール軸３Ａを回転自在に支持してい
る。スプール３はスプール軸３Ａと一体に回転するように構成されている。よって、リー
ル本体１は、スプール３を回転自在に支持している。
【００３５】
巻き取り駆動機構２０は、ハンドル５が装着されたハンドル軸５Ａと、このハンドル軸
５Ａに回転可能に装着されたドライブギア２１と、ドライブギア２１に噛合するピニオン
ギア２３とを備えている。
【００３６】
ハンドル軸５Ａは、軸受２５及び軸受２６によって右側板に対して回転可能に支持され
ている。ハンドル軸５Ａは、その基端が支持部材１６の凹所１６ｄに収容される。ハンド
ル軸５Ａの先端には、ハンドル５が設けられる。
【００３７】
ピニオンギア２３には、小径軸３Ｅが挿通されている。ピニオンギア２３は、小径軸３
Ｅの周りを回転可能に、且つ、小径軸３Ｅに対して軸方向に摺動可能に、軸受２７及び軸
受２８によって支持されている。軸受２７は、支持部材１６のスプール軸３Ａ及び小径軸
３Ｅが挿通される貫通孔に設けられている。軸受２８は、制動装置２９に設けられている
。制動装置２９は、小径軸３Ｅの右端面に当て付くことで当該端面に摩擦力を作用させる
ことによりスプール３の回転を制動することができる。制動装置２９は公知であるため、
その詳細な説明は省略する。
【００３８】
ハンドル軸５Ａとカバー体１５との間には、公知の一方向クラッチ３０が設けられる。
この一方向クラッチ３０は、ハンドル５の釣糸巻き取り方向の正回転を許容する一方、ハ
ンドル５の逆回転を阻止するように構成される。
【００３９】
ハンドル軸５Ａには、スプール３から繰り出される釣糸に対して所望の制動力を付与す
る公知のドラグ機構５０が配設されている。このドラグ機構５０は、ドライブギア２１の
側面に設けられた複数枚の制動板５１と、ハンドル軸５Ａに軸方向に移動不能に回り止め
固定されたラチェットギア５２と、ハンドル軸５Ａに設けられた操作ノブ５５とを備えて
いる。これにより、操作ノブ５５を回転操作することで、制動板２１に対する押圧力を調
整することができる。よって、スプール３から繰り出される釣糸に対して、当該押圧力に
対応するドラグ力を作用させることが可能となる。
【００４０】
支持部材１６には、スプール３を巻き取り状態とフリー回転状態との間で切り換える公
知のクラッチ機構７０が配設されている。このクラッチ機構７０は、右枠体７Ｂに回動可
能に支持された操作部材７１と、支持部材１６に操作部材７１の操作に伴って回動するよ
うに設けられたクラッチプレート７２と、ピニオンギア２３の外周面に形成された円周溝
と係合する係合部材７４と、を備える。操作部材７１を操作することでピニオンギア２３
を軸方向に摺動させ、ピニオンギア２３の左端をスプール３のピン３Ｄと係脱させること
ができる。ピニオンギア２３の左端をスプール３のピン３Ｄと係脱させることにより、ス
プール３は、動力の伝達状態（クラッチＯＮ状態）と、動力の遮断状態（クラッチＯＦＦ
状態）との間で切り換えられる。
【００４１】
図示の実施形態による両軸受型リールは、スプール３の回転に応じて発音する発音機構
８０を備えている。発音機構８０は、前述した歯車３Ｂと、左側板７Ａに形成された長穴
７ｆに装着されたカラー８１と、当該カラー８１に装着される操作部材８２と、当該操作
部材８２に設けられ歯車３Ｂに係脱する係合爪８３と、を備える。
【００４２】
以下、図５から図１０をさらに参照して、本発明の一実施形態による両軸受型リールに
設けられる発音機構についてさらに説明する。図５は、カラー８１及び操作部材８２を示
す断面図であり、図６は、操作部材８２及び係合爪８３を示す平面図である。図７及び図
８は、左側板７Ａの内側面を示す図であり、図９及び図１０は、左側板７Ａの外側面を示
す図である。図７及び図９においては、係合爪８３が係合位置にあり、図８及び図１０に
おいては、係合爪８３が解放位置にある。
【００４３】
歯車３Ｂは、上述のように、スプール軸３Ａに回り止め固定されているので、スプール
３と連動して回転する。歯車３Ｂの外周には、周方向に所定の間隔を隔てて複数の歯３Ｂ
１が形成されている。
【００４４】
図５に示すように、左側板７Ａには、スプール３のスプール軸３Ａに対して接離する方
向に延伸する長穴７ｆが形成されている。この長穴７ｆは、例えば、その延伸方向の両端
部が平面視で半円形状となるように形成される。図示の実施形態において、長穴７ｆは、
左側板７Ａを貫通する貫通孔である。
【００４５】
左側板７Ａの長穴７ｆの外側には、図８及び図１０に示すように、凹部７ｇが形成され
ている。この凹部７ｇは、長穴７ｆと相似形状に形成されてもよい。
【００４６】
カラー８１は、図５に示すように、左側板７に形成された長穴７ｆに装着される。カラ
ー８１は、円形形状に形成された第１の孔部８１ａと、円形形状に形成された第２の凹部
８１ｂと、当該第１の孔部８１ａと当該第２の凹部８１ｂとを接続するチャネル８１ｃと
、を有する。
【００４７】
本発明の一実施形態において、カラー８１は、第１の孔部８１ａの中心と第２の孔部８
１ｂの中心との距離Ｌ１が、第１の孔部の半径ｒ１と第２の孔部８１ｂの半径ｒ２との和
よりも大きくなるように構成される。第１の孔部８１ａと第２の孔部８１ｂとは同径であ
ってもよい。
【００４８】
本発明の一実施形態において、カラー８１は、第１の孔部８１ａの中心と第２の孔部８
１ｂの中心とを結ぶ仮想線に直交する方向におけるチャネル８１ｃの幅が軸部８２ｂの直
径の１／２よりも狭くなるように構成されている。チャネル８１ｃの幅のうち最も狭い部
分が、軸部８２ｂの直径の１／２よりも狭くなるように構成されてもよい。
【００４９】
カラー８１は、合成樹脂等の弾性部材から形成される。カラー８１の材料として用いら
れる合成樹脂は、例えば、ポリアセタール（ＰＯＭ）である。
【００５０】
本発明の一実施形態において、操作部材８２は、凹部７ｇに収容される扁平形状のクリ
ックレバー８２ａと、クリックレバー８２ａの側面から長穴７ｆを貫通するように延伸す
る軸部８２ｂと、を有する。操作部材８２は、例えば、真鍮等の金属材料から作成される
。
【００５１】
クリックレバー８２ａは、釣り人の操作を受けるために、左側板７Ａから外方に露出し
ている。クリックレバー８２ａは、平面視において略円形の形状を有する。クリックレバ
ー８２ａは、釣り人の操作に応じて、凹部７ｇ内でスプール軸３Ａに接離する方向にスラ
イド可能に構成される。
【００５２】
本発明の一実施形態において、軸部８２ｂは、概ね円柱形状に形成される。この場合、
軸部８２ｂをその軸に垂直な面で切断した断面は図５に示すように円形となる。軸部８２
ｂは、第１の孔部８１ａの位置又は第２の孔部８１ｂの位置のいずれかに位置決めされる
。軸部８２ｂは、その軸に垂直な方向で切断したときの円形状の断面の半径が、第１の孔
部８１ａの半径ｒ１及び／又は第２の孔部８１ｂの半径ｒ２と略等しくなるように形成さ
れる。これにより、軸部８２ｂは、第１の孔部８１ａ又は第２の孔部８１ｂに確実に保持
される。
【００５３】
係合爪８３は、操作部材８２の軸部８２ｂに、当該軸部８２ｂの軸周りに揺動可能に設
けられる。図６に示されているように、係合爪８３は、軸部８２ｂの周囲を囲むように形
成された取付部８３ａと、当該取付部８３ａの先端から延伸する基端部８３ｂと、当該基
端部８３ｂの先端から延伸し、当該基端部８３ｂよりも幅広に形成された中間部８３ｃと
、当該中間部８３ｃの先端から延伸し先細に形成された先端部８３ｄと、を有する。図３
に示すように、係合爪８３は、取付部８３ａ及び基端部８３ｂはスプール軸３Ａと概ね直
交する方向に延伸し、中間部８３ｃ及び先端部８４ｄはスプール軸３Ａと直交する方向に
対してやや前方に傾いて延伸してもよい。
【００５４】
図７及び図９に示すように、係合爪８３は、軸部８２ｂが第１の孔部８１ａにあるとき
に、その先端部８３ｄが歯車３の歯３Ｂ１の回転軌道と干渉する位置にあり、他方、軸部
８２ｂが第２の孔部８１ｂにあるときに、その先端部８３ｄが歯車３の歯３Ｂ１の回転軌
道から離反する位置にあるように構成及び配置される。軸部８２ｂが第１の孔部８１ａに
あるときには係合爪８３が歯車３Ｂの歯３Ｂ１と係合可能なので、本明細書において、軸
部８２ｂが第１の孔部８１ａにあるときの係合爪８３の位置を係合位置と呼ぶことがある
。軸部８２ｂが第２の孔部８１ａにあるときには係合爪８３が歯車３Ｂの歯３Ｂ１と係合
しないので、本明細書において、軸部８２ｂが第２の孔部８１ｂにあるときの係合爪８３
の位置を解放位置と呼ぶことがある。
【００５５】
係合爪８３が係合位置にあるときにスプール３が回転すると、歯車３Ｂはスプール３と
連動して回転するので、歯車３Ｂの歯３Ｂ１が係合爪８３と衝突することによりクリック
音が発生する。他方、係合爪８３が解放位置にあるときには、係合爪８３が歯車３Ｂの歯
３Ｂ１の回転軌道から離反した位置にあるため、スプール３が回転しても係合爪８３と歯
車３の歯３Ｂ１は衝突せず、したがってクリック音は発生しない。
【００５６】
釣り人は、クリックレバー８２ａの操作により、軸部８２ｂの位置を移動させることが
できる。例えば、図７及び図９に示すように軸部８２ｂが第１の孔部８１ａに保持されて
いるときには、クリックレバー８２ｂをスプール軸３Ａから離反する方向にスライドさせ
ることにより、軸部８２ｂを第１の孔部８１ａから第２の孔部８１ｂに移動させることが
できる。このとき、軸部８２ｂは、第１の孔部８１ａからチャネル８１ｃを通って第２の
孔部８１ｂまで移動することができる。カラー８１は弾性部材製であるため、軸部８２ｂ
がチャネル８１ｃを通過するときには、チャネル８１ｃが軸部８２ｂによって外側に押し
広げられる。
【００５７】
これとは逆に、図８及び図１０に示すように軸部８２ｂが第２の孔部８１ｂに保持され
ているときには、クリックレバー８２ｂをスプール軸３Ａに接近する方向にスライドさせ
ることにより、軸部８２ｂを第２の孔部８１ｂから第１の孔部８１ａに移動させることが
できる。このとき、軸部８２ｂは、第２の孔部８１ｂからチャネル８１ｃを通って第１の
孔部８１ａまで移動することができる。
【００５８】
上記の実施形態においては、第１の孔部８１ａの中心と第２の孔部８１ｂの中心との距
離Ｌ１が、第１の孔部の半径ｒ１と第２の孔部の半径ｒ２との和よりも大きいため、第１
の孔部８１ａ及び第２の孔部８１ｂが互いと重複しないように配されている。これにより
、第１の孔部及び第２の孔部が互いと重複するように配されている場合と比べて、操作部
材８２のストロークを長くすることができる。これにより、第１の孔部８１ａに保持され
ている操作部材８２の軸部８２ｂが誤って第２の孔部８１ｂに移動することを抑制できる
。また、第２の孔部８１ｂに保持されている操作部材８２の軸部８２ｂが誤って第１の孔
部８１ａに移動することを防止できる。
【００５９】
上記実施形態によれば、軸部８２ｂが合成樹脂製のカラー８１を介して、リール本体１
に取り付けられる。よって、操作部材８２の金属製の軸部８２ｂがリール本体１（例えば
、貫通孔７ｆを画定する側壁）と直接接触することを防止できる。これにより、リール本
体１１が金属製であっても電食の発生を防止することができる。
【００６０】
上記実施形態によれば、操作部材８２の軸部８２ｂが第１の孔部８１ａと第２の孔部８
１ｂとの間で移動するときに通過するチャネル８１ｃの幅Ｗ１が、当該操作部材の軸部の
直径の１／２よりも狭くなっている。したがって、軸部８２ｂが第１の孔部８１ａ又は第
２の孔部８１ｂから不意に離脱することを抑制できる。
【００６１】
発音機構８０は、一部が切り欠かれたＣ字状のバネ部材８４を備えても良い。バネ部材
８４は、図７及び図８に示すように、スプール軸３Ｂの周りを囲むように設けられる。バ
ネ部材８４の切り欠きには、係合爪８３が挿通されている。したがって、係合爪８３には
、バネ部材８４からの付勢力が作用している。係合爪８３が係合位置にあるときには、係
合爪８３の幅狭の基端部８３ｂがバネ部材８４の切り欠きを画定する端部と係合している
。このバネ部材８４からの付勢力により、係合爪８３は、係合位置により確実に保持され
る。このとき、軸部８２ｂも第１の孔部８１ａにより確実に保持される。
【００６２】
本明細書で説明された各構成要素の寸法、材料、及び配置は、実施形態中で明示的に説
明されたものに限定されず、この各構成要素は、本発明の範囲に含まれうる任意の寸法、
材料、及び配置を有するように変形することができる。また、本明細書において明示的に
説明していない構成要素を、説明した実施形態に付加することもできるし、各実施形態に
おいて説明した構成要素の一部を省略することもできる。
【符号の説明】
【００６３】
１  リール本体
３  スプール
３ａ  フランジ
３Ｂ  歯車
５  ハンドル
７  フレーム
７Ａ  左側板
７Ｂ  右枠体
１５  カバー体
１６  支持部材
２０  巻き取り駆動機構
５０  ドラグ機構
７０  クラッチ機構
８０  発音機構
８１  カラー
８１ａ  第１の孔部
８１ｂ  第２の孔部
８１ｃ  チャネル
８２  操作部材
８２ａ  クリックレバー
８２ｂ  軸部
８３  係合爪
【図１】
2018174768.tif 000003
【図２】
2018174768.tif 000004
【図３】
2018174768.tif 000005
【図４】
2018174768.tif 000006
【図５】
2018174768.tif 000007
【図６】
2018174768.tif 000008
【図７】
2018174768.tif 000009
【図８】
2018174768.tif 000010
【図９】
2018174768.tif 000011
【図１０】
2018174768.tif 000012